(57)【要約】【課題】一対の開閉体による球噛み防止の容易化を図る。【解決手段】左開閉体１の球接触端部３と右開閉体２の球接触端部４とが、前後方向に互い違いに形成される。球接触端部３；４の位置は、左右開閉体１；２の前後方向の厚さＴの２等分位置を通る中心線Ｌと直交する方向に、前後方向に互い違いにずれており、左右開閉体１；２が矢印Ｘ２２；Ｘ２３で示す方向に閉じる過程において、球接触端部３；４が球Ｐの中心Ｏを通る中心線Ｌ上における直径の外周面を両側から挟む格好で衝突したとしても、球Ｐは矢印Ｘ２４で示す後側に押し戻され、左右開閉体１；２による球噛みを発生することはない。【選択図】図１
2005177365.tif 000002
【特許請求の範囲】
【請求項１】
遊技盤の球の飛び交う遊技領域に可動部品を備え、可動部品が駆動機構により左右に開閉される一対の開閉体を備え、一対の開閉体が閉じることで遊技領域から流下する球を停留し、一対の開閉体が開くことで停留した球を遊技領域に落下させるパチンコ機の遊技装置において、一対の開閉体における互いに向き合う球接触端部が前後方向に互い違いに形成されたことを特徴とするパチンコ機の遊技装置。
【請求項２】
一対の開閉体における互いに向き合う球接触端部が一対の開閉体の外側から互いに向き合う内側に行くにしたがって徐々に前後方向の厚さが薄くなる先細り形状に形成されたことを特徴とする請求項１記載のパチンコ機の遊技装置。
【請求項３】
可動部品が遊技領域から取り込んだ球を一対の開閉体の裏側に誘導する球通路を備えたことを特徴とする請求項１記載のパチンコ機の遊技装置。
【請求項４】
遊技盤の球の飛び交う遊技領域の可動部品よりも下部でかつ一対の開閉体の互いに向き合う球接触端部の真下に入賞部品を備え、入賞部品が上方に開口した球入口を備えたことを特徴とする請求項１記載のパチンコ機の遊技装置。
【発明の詳細な説明】
【技術分野】
【０００１】
本発明は、駆動機構により左右に開閉される一対の開閉体による球噛み防止が容易なパチンコ機の遊技装置に関する。
【背景技術】
【０００２】
パチンコ機の遊技装置には、次のようなものが知られている。それは、遊技盤の遊技領域に可動部品を備え、可動部品が駆動機構を裏部に設けるとともに前部に一対の開閉体を設け、駆動機構が一対の開閉体を左右に開閉し、一対の開閉体が閉じることで遊技領域から流下する球を停留し、一対の開閉体が開くことで停留した球を遊技領域に落下させる構造である。しかしながら、図９に示すように、一対の開閉体１５１；１５２における互いに向き合う球接触端部１５３；１５４が開閉方向に延びる１本の直線Ｌと直交する方向の厚さを有して直線Ｌの上に位置しているので、一対の開閉体１５１；１５２が矢印Ｘ２７；Ｘ２８で示すように閉じる過程において、一対の開閉体１５１；１５２が球Ｐを左右から挟む。つまり、一対の開閉体１５１；１５２による球噛みを発生するという欠点がある。
【特許文献１】特許第３２７２７６１号公報
【発明の開示】
【発明が解決しようとする課題】
【０００３】
発明が解決しようとする問題点は、一対の開閉体による球噛みを発生するという点である。
【課題を解決するための手段】
【０００４】
本発明に係るパチンコ機の遊技装置は、遊技盤の球の飛び交う遊技領域に可動部品を備え、可動部品が駆動機構により左右に開閉される一対の開閉体を備え、一対の開閉体が閉じることで遊技領域から流下する球を停留し、一対の開閉体が開くことで停留した球を遊技領域に落下させるパチンコ機の遊技装置において、一対の開閉体における互いに向き合う球接触端部が前後方向に互い違いに形成されたことを最も主要な特徴とする。一対の開閉体における互いに向き合う球接触端部が一対の開閉体の外側から互いに向き合う内側に行くにしたがって徐々に前後方向の厚さが薄くなる先細り形状に形成されたり、可動部品が遊技領域から取り込んだ球を一対の開閉体の裏側に誘導する球通路を備えたり、遊技盤の球の飛び交う遊技領域の可動部品よりも下部でかつ一対の開閉体の互いに向き合う球接触端部の真下に入賞部品を備え、入賞部品が上方に開口した球入口を備えたりすることも特徴とする。
【発明の効果】
【０００５】
本発明に係るパチンコ機の遊技装置は、一対の開閉体の球接触端部が前後方向に互い違いに形成されていることによって、球が一対の開閉体の前側に押し出されるかまたは後側に押し戻されるので、一対の左右開閉体が球を左右から挟むことなく、一対の左右開閉体による球噛みを発生することはないという利点がある。一対の開閉体における互いに向き合う球接触端部が一対の開閉体の外側から互いに向き合う内側に行くにしたがって徐々に前後方向の厚さが薄くなる先細り形状に形成されれば、球が左右開閉体における球接触端部の間を通り抜ける場合、球が球接触端部を同時に通過し、球の遊技領域への落下が繰り返される場合にあっても、当該繰り返される球の落下軌跡は、常に、同じ落下軌跡となるという利点がある。可動部品が遊技領域から取り込んだ球を一対の開閉体の裏側に誘導する球通路を備えれば、一対の開閉体による球の停留と放出とを適切に行うことができるという利点がある。遊技盤の球の飛び交う遊技領域の可動部品よりも下部でかつ一対の開閉体の互いに向き合う球接触端部の真下に入賞部品を備え、入賞部品が上方に開口した球入口を備えれば、一対の開閉体における球接触端部の間から落下する球は、始動入賞部品の球入口に入りやすくなるという利点がある。
【発明を実施するための最良の形態】
【０００６】
図１−図７は、第１実施形態である。図１のａ図は、一対の開閉体１；２の構造の平面を示す。図１のｂ図は、一対の開閉体１；２の閉じた構造の平面を示す。図１のｃ図は、一対の開閉体１；２の開いた構造の平面を示す。図１のｄ図は、一対の開閉体１；２の球を後側に押し戻す構造の平面を示す。図２のａ図は、一対の開閉体１；２を開閉する駆動機構を前側から示す。図２のｂ図は、一対の開閉体１；２の閉じた形態における駆動機構を裏側から示す。図２のｃ図は、一対の開閉体１；２の開いた形態における駆動機構を裏側から示す。図３は、左開閉体１と部品本体３５との組立構造の断面を示す。図４は、可動部品１３を分解して示す。図５は、取込部品１２と可動部品１３とからなる複合部品１１を分解して示す。図６は、複合部品１１の正面を示す。図７は、遊技部品の取り付けられた遊技盤４３の正面を示す。
【０００７】
図７を参照し、パチンコ機の遊技装置の構造について説明する。遊技盤４３は、方形な前面である意匠盤面１３１に外レール１３２および内レール１３３で囲まれた内側に遊技領域１３４を備える。左側における外レール１３２と内レール１３３の間は、縦長な発射通路１３５である。遊技領域１３４には、遊技部品として、複合部品１１、始動入賞部品１３６、可変入賞部品１３７、一般入賞部品１３８、アウト口１３９、サイドランプ１４０を備える。複合部品１１は、取込部品１２と、可動部品１３とから構成される。可動部品１３と始動入賞部品１３６と可変入賞部品１３７およびアウト口１３９は、遊技領域１３４の左右方向の中央部に、上から下に順に設けられる。可動部品１３と始動入賞部品１３６との関係にあっては、可動部品１３が上部に位置し、始動入賞部品１３６が下部に位置する。遊技領域１３４に設けられる遊技部品には、上記以外に、図示は省略したが、一般入賞部品１３８、風車、遊技釘などがある。
【０００８】
図６を参照し、複合部品１１の構造について説明する。複合部品１１は、取込部品１２と可動部品１３とが単一構造体として組み立てられた構造である。取込部品１２は、センター飾りと呼ばれる飾り部品の形態であって、左右球通路１４；１５を備える。左右球通路１４；１５は、矢印Ｘ１；Ｘ２で示すように、遊技領域１３４（図７参照）から取り込んだ球Ｐを中央に向けて自然流下で誘導して排出する。可動部品１３は、取込部品１２の下部に組み込まれた形態であって、左右に開閉される一対の開閉体１；２を備える。一対の開閉体１；２は、左右方向外側から内側に閉じることで、左右球通路１４；１５から排出された球Ｐを停留する。一対の開閉体１；２は、内側から左右方向外側に開くことで、矢印Ｘ３で示すように、停留した球Ｐをステージ３６から前側下方に自然流下で落下させる。以下、一対の開閉体１；２を左右開閉体１；２と称する。
【０００９】
図５を参照し、取込部品１２と可動部品１３との構造について説明する。取込部品１２は、複合部品１１の前面の意匠を兼ねる遮光性の有る合成樹脂からなる部品本体１６を備える。部品本体１６は、中央の前後方向に開口された前面視方形な窓１７を囲む前面視円形状の前側に突出した周壁を構成する。部品本体１６は、上下取付部１８；１９を備える。上取付部１８は、部品本体１６の上に凸なる周壁の外周面後縁から外側上方に向けて板状に突出する。下取付部１９は、部品本体１６の下に凸なる周壁の外周面前縁から外側下方に向けて板状に突出する。上下取付部１８；１９には、ねじ挿入孔２０；２１が、前後方向に貫通する。窓１７の上半部は、光透過性を有する無色な合成樹脂からなる保護板２２で塞がれる。保護板２２の周縁部は、窓１７の周りにおける部品本体１６の裏面に結合される。保護板２２の裏面には、部品本体１６の裏部に取り付けられた図外の図柄表示器の表示画面が配置される。図柄表示器は、液晶表示器のような電気的に表示形態の変えられる画像を表示画面に表示する面状表示器である。図柄表示器の表示画面に表示された画像は、取込部品１２の前側から保護板２２を通して視認し得る。保護板２２は、球が図柄表示器の表示画面に衝突しないように、当該表示画面を保護する。
【００１０】
部品本体１６の下半部には、左右球通路１４；１５、左右衝立２３；２４、球流下部２５が設けられる。左右球通路１４；１５における左右球入口２６；２７は、部品本体１６の上下方向中間の左右側面に開口する。左右球通路１４；１５における左右球出口２８；２９は、窓１７と左右衝立２３；２４との間において、下方に向けて開口する。左球通路１４は、左球入口２６から入った球を後方に誘導した後に下方に誘導して左球出口２８から排出する。右球通路１５は、右球入口２７から入った球を後方に誘導した後に下方に誘導して右球出口２９から排出する。左右衝立２３；２４は、球流下部２５の後縁から上方に板状に突出し、可動部品１３における左右球遊動路３０；３１の球を左右球遊動路３０；３１から前側に落下しないようにステージ３６に向けて誘導する。左衝立２３と右衝立２４の間には、隙間が、可動部品１３のステージ３６の横幅よりも左右に大きな寸法に形成される。球流下部２５は、前後方向に１個の球の直径よりも大きな幅を有し、下方に凸なる弧面形状である。球流下部２５の最下部である中央には、球落下案内路３２を備える。球落下案内路３２は、後側から前側に行くにしたがって徐々に横幅が広くなるとともに下方に下がる弧状斜面であって、ステージ３６から前側に流下した球を受け取って下方に垂直に落下させる。部品本体１６は、裏面に、位置決め部３３を備える。
【００１１】
可動部品１３は、部品本体３５に、左右開閉体１；２、左右球遊動路３０；３１、ステージ３６、隔壁３７を備える。左右開閉体１；２は、部品本体３５の上部前面に、左右の横方向に直線的に開閉可能に配置される。左右球遊動路３０；３１は、左右開閉体１；２と隔壁３７との間に配置される。左球遊動路３０は、取込部品１２における左球出口２８から落下した球を受け止めてステージ３６に流下する。右球遊動路３１は、取込部品１２における右球出口２９から落下した球を受け止めてステージ３６に流下する。ステージ３６は、左右球遊動路３０；３１から流下した球を受け取って前側に流下する、前側に下がった斜面になっている。ステージ３６の左右方向の横幅は、１個の球の直径よりも大きいが、１個の球の直径の２倍よりも小さい。部品本体３５の左下部および左右側部には、部品側取付部３８が、外側に突出する。隔壁３７は、左右球遊動路３０；３１の後縁部およびステージ３６の後縁部から上方に突出し、可動部品１３が取込部品１２に取り付けられた場合、取込部品１２における保護板２２よりも下の窓１７の下半部を塞ぐ。部品側取付部３８の各々には、ねじ挿入孔３９が、前後方向に貫通する。隔壁３７の左右部には、位置決め部４０が、外側に突出する。
【００１２】
そして、取込部品１２および可動部品１３は、次のように取り付けられる。部品本体１６から裏側に突出した裏機構４１が遊技盤４３に形成された逃孔４４に遊技盤４３の前側から挿入され、部品本体１６の裏面および部品取付部１８；１９の裏面が逃孔４４の周りの遊技領域１３４に接触することによって、取込部品１２が逃孔４４を塞ぐ。その後、木ねじのようなタッピングスクリューなる止ねじ４５が、ねじ挿入孔２０；２１から遊技盤４３に締結されることによって、取込部品１２が遊技盤４３に取り付けられる。また、可動部品１３における左右開閉体１；２と左右球遊動路３０；３１とステージ３６および隔壁３７がセット板と呼ばれる部品取付体４７に形成された逃孔４８に部品取付体４７の裏側から挿入されることによって、部品側取付部３８の前面が、逃孔４８の周りにおける部品取付体４７の裏面に接触し、タッピングスクリューのような止ねじ４９が、ねじ挿入孔３９から部品取付体４７に締結されることによって、取込部品１２が部品取付体４７に取り付けられる。その後、可動部品１３を備えた部品取付体４７が、取込部品１２を備えた遊技盤４３の裏面に、タッピングスクリューのような止ねじ５０で取り付けられる。その場合、位置決め部４０と位置決め部３３とが互いに嵌め合わされることによって、可動部品１３と取込部品１２とが互いに位置合わせられて組み合わされ、複合部品１１が図６に示す形態となる。
【００１３】
図４を参照し、可動部品１３の構成部材について説明する。可動部品１３は、部品本体３５、ステージ遊動構成体５２、回路基板５３、レンズ５４、飾り５５、ステップモータ５６、駆動レバー５７、第１連結棒５８、第２連結棒５９、第３連結棒６０、第４連結棒６１、第５連結棒６２、左右後滑走体６３；６４、左右前滑走体６５；６６、左右連結棒６７；６８、左右開閉体１；２などの多数の構成部材が、互いに組み合わされることによって、形成される。部品本体３５は、左右案内孔６９；７０と隔壁３７とステージ取付部７１と部品側取付部３８および位置決め部４０を備える。左右案内孔６９；７０は、横長であって、前後方向に貫通する。隔壁３７には、飾り取付部７２とステージ取付孔７３とが形成される。ステージ取付部７１は、左案内孔６９と右案内孔７０との間、左案内孔６９の上、右案内孔７０の上におけるそれぞれの位置において、部品本体３５から前側に筒状に突出する。回路基板５３は、ＬＥＤのような表示灯７５の実装された基板であって、隔壁３７の裏面に図外の止ねじで取り付けられる。レンズ５４は、隔壁３７の裏面に取り付けられ、表示灯７５の光を拡散する。飾り５５は光透過性の有る合成樹脂により形成され、飾り取付部７２に取り付けられることによって、隔壁３７の前面に配置され、レンズ５４からの光の透過で照明される。
【００１４】
ステップモータ５６、駆動レバー５７、第１−第５連結棒５８−６２、左右後滑走体６３；６４、左右前滑走体６５；６６、左右連結棒６７；６８が、左右開閉体１；２を開閉する駆動機構を構成する。ステップモータ５６は、モータ取付足７６がモータケースから外側に突出する。駆動レバー５７は、モータ軸取付孔７７と駆動ピン７８とを左右に備える。そして、モータ軸取付孔７７が、ステップモータ５６のモータ軸５６ａのような出力軸に嵌め込まれ、セットスクリューのような止ねじ７９が、駆動レバー５７の外側から、駆動レバー５７のねじ孔（雌ねじの形成された孔）８０を経由してモータ軸５６ａに、締結される。これによって、駆動レバー５７が、モータ軸５６ａと一緒に回転するように、モータ軸５６ａに取り付けられる。駆動ピン７８は、モータ軸取付孔７７から側方にずれた位置において、駆動レバー５７から前側に突出する。
【００１５】
第１連結棒５８は、横長な板状であって、縦長な長孔８２、第１連結ピン８３、第２連結ピン８４、逃孔８５、ガイド孔８６を備える。長孔８２は、第１連結棒５８の左端部に形成される。第１連結ピン８３は、第１連結棒５８の右端部において、第１連結棒５８から後側に突出する。第２連結ピン８４は、第１連結棒５８の中間部における長孔８２および第１連結ピン８３の双方よりも下方において、第１連結棒５８から後側に突出する。逃孔８５は、第２連結ピン８４よりも上部に位置する。第２連結棒５９は、縦長な板状であって、軸受孔８７と２つの縦長な長孔８８；８９とを備える。軸受孔８７は、第２連結棒５９の上端部と下端部との間における中間部に形成される。一方の長孔８８は、第２連結棒５９の上端部に形成される。他方の長孔８９は、第２連結棒５９の下端部に形成される。第３連結棒６０は、縦長な板状であって、軸受孔９１と縦長な長孔９２と連結ピン９３とを備える。軸受孔９１は、第３連結棒６０の上端部と下端部との間における中間部に形成される。長孔９２は、第３連結棒６０の上端部に形成される。連結ピン９３は、第３連結棒６０の上端部に形成される。第４連結棒６１は、縦長な板状であって、軸受孔９５と連結ピン９６と縦長な長孔９７とを備える。軸受孔９５は、第４連結棒６１の上端部と下端部との間における中間部に形成される。連結ピン９６は、第４連結棒６１の上端部に形成される。長孔９７は、第４連結棒６１の下端部に形成される。第５連結棒６２は、横長な板状であって、丸形貫通孔なるピン受孔９８；９９を、左端部と右端部とに備える。
【００１６】
左右後滑走体６３；６４は、互いに同じ形状であって、横長基板１０１；１０２から複数の滑走突起１０３；１０４と軸受部１０５；１０６とを前側に突出する。横長基板１０１；１０２は、左右案内孔６９；７０よりも大きな上下幅を有する。滑走突起１０３；１０４は、左右案内孔６９；７０に挿入された場合、左右案内孔６９；７０の内部を左右方向にがたつくことなく滑らかに滑走するものであって、左右案内孔６９；７０と同一の上下幅を有する。軸受部１０５；１０６は、左右連結棒６７；６８を嵌め込むものであって、滑走突起１０３；１０４よりも小さな外径である。横長基板１０１；１０２と滑走突起１０３；１０４とにわたり、開閉体取付孔１０７；１０８が、形成される。横長基板１０１；１０２と軸受部１０５；１０６とにわたり、軸受孔１０９；１１０が、形成される。左右前滑走体６５；６６は、互いに同じ形状であって、横長基板１１１；１１２から複数の滑走突起１１３；１１４と軸受部１１５；１１６とを裏側に突出する。横長基板１１１；１１２は、左右案内孔６９；７０よりも大きな上下幅を有する。滑走突起１１３；１１４は、左右案内孔６９；７０に挿入された場合、左右案内孔６９；７０の内部を左右方向にがたつくことなく滑らかに滑走するものであって、左右案内孔６９；７０と同一の上下幅を有する。横長基板１１１；１１２と滑走突起１１３；１１４とにわたり、開閉体取付孔１１７；１１８が、形成される。軸受部１１５；１１６は、左右連結棒６７；６８を嵌め込むものであって、滑走突起１１３；１１４よりも小さな外径である。横長基板１１１；１１２と軸受部１１５；１１６とにわたり、軸受孔１１９；１２０が、形成される。左右連結棒６７；６８は、丸棒形状の胴体１２２；１２３の前端に、胴体１２２；１２３よりも外径の大きな頭１２４；１２５を備える。左右開閉体１；２の各々は、左右対称な立板形状であって、下部に、取付足１２７；１２８を備える。取付足１２７；１２８は、滑走突起１０３；１０４；１１３；１１４と同数であって、開閉体の裏面から裏側に突出する。
【００１７】
図３を参照し、左開閉体１の部品本体３５への組立構造と右開閉体２の部品本体３５への組立構造とは互いに同じであるので、左開閉体１の部品本体３５への組立構造を例として説明する。図３のｂ図に示すように、左前滑走体６５の滑走突起１１３が部品本体３５の前側から左案内孔６９に挿入されると、左前滑走体６５の横長基板１１１の周縁部が左案内孔６９の周壁と対向し、左後滑走体６３の滑走突起１０３が部品本体３５の裏側から左案内孔６９に挿入されると、左後滑走体６３の横長基板１０１の周縁部が左案内孔６９の周壁と対向する。その状態において、図３のａ図に示すように、左連結軸６７の胴体１２２が、左前滑走体６５の前側から左前滑走体６５の軸受孔１１９および左後滑走体６３の軸受孔１０９を貫通し、左後滑走体６３の裏側に突出する。この左後滑走体６３の裏側に突出した左連結軸６７の端部には第３連結棒６０の長孔９２が挿入される。右開閉体２の部品本体３５への組立構造にあっては、左開閉体１を右開閉体２と読み替え、左前滑走体６５を右前滑走体６６と読み替え、左案内孔６９を右案内孔７０と読み替え、左後滑走体６３を右後滑走体６４と読み替え、左連結軸６７を右連結軸６８と読み替えることによって、理解できるであろう。但し、右後滑走体６４の裏側に突出した右連結軸６６の端部には、第２連結棒５９の長孔８８が第３連結棒６０の長孔９２に取って代わって挿入される点が異なる。図３のｂ図に示すように、左前滑走体６５の滑走突起１１３と左後滑走体６３の滑走突起１０３とが部品本体３５の左案内孔６９に挿入された状態において、左開閉体１の取付足１２７が左前滑走体６５の開閉体取付孔１１７と左後滑走体６３の開閉体取付孔１０７とに圧入される。これよって、左開閉体１が部品本体３５に直線的に横移動可能に取り付けられる。図３のｂ図においても、右開閉体２の場合は、左前滑走体６５を右前滑走体６６と読み替え、左後滑走体６３を右後滑走体６４と読み替え、左案内孔６９を右案内孔７０と読み替え、左開閉体１を右開閉体２と読み替えることによって、理解できるであろう。
【００１８】
図２のｂ図を参照し、駆動機構の組み立てられた構造について説明する。部品本体３５の裏面には、第１軸１４２、第２軸１４３、第３軸１４４、２つのガイドピン１４５が、設けられる。第１連結棒５８が部品本体３５の裏面と対向し、第１連結棒５８の逃孔８５が第３軸１４４に第３軸１４４と非接触に挿入され、第１連結棒５８の２つのガイド孔８６が２つのガイドピン１４５に個別に挿入されることによって、第１連結棒５８は、部品本体３５の裏面に、左右横方向に、直線的に、移動可能に配置される。ステップモータ５６に取り付けられた駆動レバー５７の駆動ピン７８が第１連結棒５８の長孔８２に挿入され、モータ取付足７６がタッピングスクリューのような図外の止ねじで部品本体３５の裏面に締結されることによって、ステップモータ５６は、部品本体３５の裏面に、取り付けられる。第２連結棒５９の軸受孔８７が第１軸１４２に回転可能に装着され、第２連結棒５９の上端部の長孔８８が右後滑走体６４から裏側に突出した右連結棒６８に挿入され、第２連結棒５９の下端部の長孔８９が第１連結棒５８の第１連結ピン８３に挿入されることよって、第２連結棒５９は、第１連結棒５８と右開閉体２とに連結される。第３連結棒６０の軸受孔９１が第２軸１４３に回転可能に装着され、第３連結棒６０の上端部の長孔９２が左後滑走体６３から裏側に突出した左連結棒６７に挿入され、第４連結棒６１の軸受孔９５が第１連結棒５８の逃孔８５から裏側に突出する第３軸１４４に回転可能に装着され、第４連結棒６１の下端部の長孔９７が第１連結棒５８の第２連結ピン８４に挿入され、第５連結棒６２の左右ピン受孔９８；９９が第４連結棒６１の上端部の連結ピン９６と第３連結棒６０の下端部の連結ピン９３とに個別に回転可能に装着されることによって、第３連結棒６０と第４連結棒６１と第５連結棒６２とからなる連接連結棒は、左開閉体１と第１連結棒５８とに連結される。
【００１９】
したがって、図２のｂ図に示すように、駆動レバー５７の駆動ピン７８がモータ軸５６ａを中心として第１連結棒５８に最も近い位置に位置した状態において、ステップモータ５６が電力で例えば矢印Ｘ４で示す方向に回転駆動すると、駆動レバー５７の駆動ピン７８が矢印Ｘ４方向に回転移動するのに伴い、第１連結棒５８が矢印Ｘ５で示す方向に横移動し、第４連結棒６１が第３軸１４４を回転中心として矢印Ｘ６で示す方向に回転移動し、第５連結棒６２を介して、第３連結棒６０が第２軸１４３を回転中心として矢印Ｘ７で示す方向に回転移動し、左開閉体１が矢印Ｘ８で示す方向に横移動する一方、上記第１連結棒５８の矢印Ｘ５で示す方向への横移動によって、第２連結棒５９が第１軸１４２を回転中心として矢印Ｘ９で示す方向に回転移動し、右開閉体２が矢印Ｘ１０で示す方向に横移動する。つまり、駆動レバー５７の駆動ピン７８が、第１連結棒５８に最も近い位置から、徐々に、第１連結棒５８から離れる方向に回転移動するのに伴い、左右開閉体１；２が、互いに、離れる方向に横移動して開く。そして、図２のｃ図に示すように、右連結棒６８と長孔８８とが互いに接触する程度に近づき、左連結棒６７と長孔９２とが互いに接触する程度に近づき、駆動レバー５７の駆動ピン７８が、第１連結棒５８から遠い位置に位置すると、左右開閉体１；２の開度が大きくなる。この大きな開度は、１個の球の直径より大きいが、１個の球の直径の２倍よりも小さい。したがって、左右開閉体１；２が小さな開度から大きな開度になる過程において、左右開閉体１；２は、ステージ３６の上に存在する球を、ステージ３６に停留することなく、ステージ３６から左開閉体１と右開閉体２との互いに左右に対向する間における隙間を通過させて前側に落下させることが可能となる。
【００２０】
図２のｃ図に示すように、駆動レバー５７の駆動ピン７８がモータ軸５６ａを中心として第１連結棒５８から遠い位置に位置した状態において、ステップモータ５６が電力で例えば矢印Ｘ４と逆向きの矢印Ｘ４’で示す方向に回転駆動すると、駆動レバー５７の駆動ピン７８が矢印Ｘ４’方向に回転移動するのに伴い、第１連結棒５８が矢印Ｘ１１で示す方向に横移動し、第４連結棒６１が第３軸１４４を回転中心として矢印Ｘ１２で示す方向に回転移動し、第５連結棒６２を介して、第３連結棒６０が第２軸１４３を回転中心として矢印Ｘ１３で示す方向に回転移動し、左開閉体１が矢印Ｘ１４で示す方向に横移動する一方、上記第１連結棒５８の矢印Ｘ１１で示す方向への横移動によって、第２連結棒５９が第１軸１４２を回転中心として矢印Ｘ１５で示す方向に回転移動し、右開閉体２が矢印Ｘ１６で示す方向に横移動する。つまり、駆動レバー５７の駆動ピン７８が、第１連結棒５８に遠い位置から、徐々に、第１連結棒５８にら近づく方向に回転移動するのに伴い、左右開閉体１；２が、互いに、近づく方向に横移動して閉じる。そして、図２のｂ図およびａ図に示すように、駆動レバー５７の駆動ピン７８が第１連結棒５８に最も近い位置に位置すると、左右開閉体１；２の開度が最小となる。この最小の開度は、１個の球の直径よりも小さい。したがって、左右開閉体１；２が最小の開度になることによって、左右開閉体１；２は、ステージ３６の上に存在する球を、ステージ３６から前側に流下しないように、停留する。
【００２１】
図１を参照し、左右開閉体１；２における互いに向き合う球接触端部３；４について説明する。図１のａ図に示すように、左開閉体１の球接触端部３と右開閉体２の球接触端部４とが、前後方向に互い違いに形成される。球接触端部３；４の位置は、左右開閉体１；２の前後方向の厚さＴの２等分位置を通る中心線Ｌと直交する方向に、前後方向に互い違いにずれている。左開閉体１においては、球接触端部３における中心線Ｌとの交差点から後側に行くにしたがって徐々に左側に傾斜する斜面５と、球接触端部３における中心線Ｌとの交差点から前側に行くにしたがって徐々に左側に傾斜する斜面６とを備える。つまり、左開閉体１の球接触端部３は、左開閉体１の外側から右開閉体２と向き合う内側に行くにしたがって徐々に前後の厚さが薄くなる先細り形状に形成される。右開閉体２においては、球接触端部３における中心線Ｌとの交差点から後側に行くにしたがって徐々に右側に傾斜する斜面７と、球接触端部３における中心線Ｌとの交差点から前側に行くにしたがって徐々に右側に傾斜する斜面８とを備える。つまり、右開閉体２の球接触端部３は、右開閉体２の外側から左開閉体１と向き合う内側に行くにしたがって徐々に前後の厚さが薄くなる先細り形状に形成される。
【００２２】
図１のｂ図に示すように、左右開閉体１；２が閉じている場合、球Ｐが左右球遊動路３０：３１のいずれかからステージ３６に流下すると、当該球Ｐは左右開閉体１；２の斜面５；７に接触し、左右開閉体１；２が球Ｐをステージ３６の上に停留する。その後、左右開閉体１；２が開き、左右開閉体１；２の斜面５；７と球接触端部３；４との交点が球Ｐの直径より大きくなるのに伴い、図１のｃ図に示すように、上記停留していた球Ｐは、矢印Ｘ２１で示すように、左右開閉体１；２における球接触端部３；４の間からステージ３６の上を前側に流下して図７に示す遊技領域１３４に落下する。このように、球Ｐが左右開閉体１；２における球接触端部３；４の間を通り抜ける場合、左右開閉体１；２の斜面５；７と球接触端部３；４との交点が図１のａ図に示す中心線Ｌの上に位置しているので、球Ｐが斜面５；７と球接触端部３；４との交点を同時に通過する。よって、球Ｐの遊技領域１３４への落下が繰り返された場合にあっても、当該繰り返される球Ｐの落下軌跡は、常に、同じ落下軌跡となるという利点がある。
【００２３】
図１のｄ図に示すように、開いていた左右開閉体１；２が矢印Ｘ２２；Ｘ２３で示す方向に移動して閉じる過程において、球Ｐが矢印Ｘ２２；Ｘ２３で示す方向に移動している左右開閉体１；２の間を後側から前側に通過中である場合、左右開閉体１；２における球接触端部３；４が当該球Ｐの中心Ｏを通る中心線Ｌ上における直径の外周面を両側から挟む格好で衝突したとしても、左開閉体１の球接触端部３と右開閉体２の球接触端部４とが前後方向に互い違いに形成されているので、球Ｐは矢印Ｘ２４で示す後側に押し戻される。よって、左右開閉体１；２が球Ｐを左右から挟むことなく、左右開閉体１；２による球噛みを発生することはないという利点がある。したがって、図２に示すステップモータ５６が過負荷を受けることもない。しかも、球噛み防止のための球検出器なども不要となり、構造も簡素であるという利点がある。また、可動部品１３が図７の遊技領域１３４から取り込んだ球を左右開閉体１；２の裏側に誘導する図５に示す球通路１４；１５、左右球遊動路３０：３１、ステージ３６を備えているので、左右開閉体１；２による球の停留と放出とを適切に行うことができるという利点がある。
【００２４】
図２に示すように、左右開閉体１；２を開閉する駆動源がステップモータ５６であるので、左右開閉体１；２の開度制御や速度制御が容易であるという利点がある。図７に示すように、入賞部品たる下部の始動入賞部品１３６が、上部の可動部品１３よりも下部でかつ左右開閉体１：２の互いに向き合う球接触端部３：４の真下に配置され、始動入賞部品１３６が上方に開口した球入口１３６ａを備え、球入口１３６ａが球接触端部３：４の真下に配置されているので、左右開閉体１：２における球接触端部３：４の間から矢印Ｘ２５で示す落下軌跡を通って遊技領域１３４に落下する球は、始動入賞部品１３６の球入口１３６ａに入りやすくなるという利点がある。
【００２５】
図８は、第２実施形態に係る左右開閉体１；２の周りの平面を示す。第２実施形態では、左開閉体１の球接触端部３と斜面５との交点が中心線Ｌよりも前側に位置し、右開閉体２の球接触端部４と斜面８との交点が中心線Ｌよりも前側に位置した形態であって、開いていた左右開閉体１；２が閉じる過程において、球Ｐが閉じるために移動している左右開閉体１；２の間を後側から前側に通過中である場合、左右開閉体１；２における球接触端部３；４が当該球Ｐの中心Ｏを通る中心線Ｌ１上における直径の外周面を両側から挟む格好で衝突したとしても、球Ｐは矢印Ｘ２６で示す前側に押し出される。
【産業上の利用可能性】
【００２６】
左右開閉体１；２の開度や速度は一定となるものの、左右開閉体１；２を開閉する駆動源は電磁ソレノイドでもよい。図２のｃ図において、駆動機構の上下幅は大きくなるものの、第２連結棒５９および第３連結棒６０を長く形成し、長孔８８；９２を長く形成し、駆動ピン７８が、図２のｃ図に示す位置を矢印Ｘ４の方向に超えて第１連結棒５８から最も遠い位置に位置する間において、右連結棒６８と長孔８８とが互いに接触することがなく、左連結棒６７と長孔９２とが互いに接触することがなければ、ステップモータ５６を逆転することなく矢印Ｘ４で示す方向に回転することによって、左右開閉体１；２を開閉してもよい。
【図面の簡単な説明】
【００２７】
【図１】開閉体周りを示す平面図（第１実施形態）。
【図２】駆動機構を示す模式図（第１実施形態）。
【図３】開閉体と部品本体との組立構造を示す断面図（第１実施形態）。
【図４】可動部品を示す分解斜視図（第１実施形態）。
【図５】複合部品を示す分解斜視図（第１実施形態）。
【図６】複合部品を示す斜視図（第１実施形態）。
【図７】遊技盤を示す正面図（第１実施形態）。
【図８】開閉体周りを示す平面図（第２実施形態）。
【図９】開閉体周りを示す平面図（従来）。
【符号の説明】
【００２８】
１；２  開閉体
３；４  球接触端部
１３  可動部品
１４；１５  球通路
４３  遊技盤
１３４  遊技領域
１３６  始動入賞部品
１３６ａ  球入口
【図１】
2005177365.tif 000003
【図２】
2005177365.tif 000004
【図３】
2005177365.tif 000005
【図４】
2005177365.tif 000006
【図５】
2005177365.tif 000007
【図６】
2005177365.tif 000008
【図７】
2005177365.tif 000009
【図８】
2005177365.tif 000010
【図９】
2005177365.tif 000011